(57)【要約】【課題】パイプ要素を継合するための機械的カップリングおよび継手のためのシールを提供すること【解決手段】機械的カップリングおよび継手のためのシールは、カップリングまたは継手と継合されているパイプ要素との間の閉鎖可能漏出経路を形成する、１つまたはそれを上回る突起を伴う、シール表面を有する。漏出経路は、カップリングまたは継手が適切に据え付けられるときに閉鎖する。そうでなければ、漏出経路は、開放したままであって、不適切に据え付けられたカップリングおよび継手が、圧力試験の間および点検圧力が印加される前に、発見され得ることを確実にする。【選択図】なし【特許請求の範囲】
【請求項１】
本明細書に記載の発明。
【発明の詳細な説明】
【技術分野】
【０００１】
（関連出願の相互参照）
本願は、２０１５年１２月９日に出願された米国特許出願第１４／９６３，３６１号の国際出願であり、該米国特許出願は、その全体が参照により本明細書中に援用される。
【０００２】
本発明は、パイプ要素を継合するための機械的カップリングおよび継手のためのシールに関する。
【背景技術】
【０００３】
パイプ要素を継合するための機械的カップリングおよび継手（エルボおよびＴ形継手等）は、可撓性の弾力性シールを採用し、特定の用途のための点検圧力に耐えることが可能な液密継合部を形成する。動作時、シールが、それぞれ、カップリングまたは継手を形成するようにともにボルト締めされる、区画または筐体部分間に位置付けられる。シールは、パイプ要素が、カップリングまたは継手の中に挿入される、もしくは別様にそれと係合されると、パイプ要素の外側表面に係合する、円周方向シール表面を有する。ボルトの適切な緊締に応じて、シールは、カップリング区画または筐体部分とパイプ要素との間に圧縮され、区画または筐体部分は、パイプ要素に係合し、それを機械的に拘束し、要求される設計点検圧力に耐えることが可能な液密継合部が、形成される。
【０００４】
しかしながら、数十または数百の機械的カップリングおよび継手を有する、配管網では、１つまたはそれを上回るカップリングもしくは継手が不適切に据え付けられ得ることが可能性として考えられる。最も一般的問題は、ボルトが緊締されていない、または十分に緊締されていないことである。そのようなカップリングまたは継手は、点検圧力下で液密にされ得ないが、シールが、ボルトの緊締前にパイプ要素に係合するシール表面を有するため、そのような不適切に据え付けられたカップリングまたは継手は、配管網の完全性を確認するために使用される、比較的により低い試験圧力下で液密シールを維持する傾向にあり得、したがって、適切な据付の誤ったインジケーションを与え得る。不適切に据え付けられたカップリングは、試験圧力下で漏出しないため、それらは、完全点検圧力が配管網に印加されるまで見出され得ない。本状況を回避することが望ましく、したがって、それらが一部であるカップリングまたは継手が不適切に据え付けられる場合、意図的に漏出する、シールを有することが有利である。
【発明の概要】
【課題を解決するための手段】
【０００５】
本発明は、シールに関する。一例示的実施形態では、シールは、その周囲に円周方向に延在する周辺壁を有する、リングを備える。第１のローブが、周辺壁に取り付けられる。第１のローブは、リングの周囲に円周方向に延在する。第１のシール表面は、第１のローブ上に位置付けられる。第１のシール表面は、リングの周囲に円周方向に延在する。少なくとも第１の突起が、第１のシール表面から延在する。第１の突起は、第１のシール表面を横断して閉鎖可能漏出経路を画定する。
【０００６】
一例として、第１のローブは、遊離縁を備えてもよく、第１の突起は、遊離縁に近接して位置付けられる。別の実施例では、第１のローブは、遊離縁を備え、第１の突起は、遊離縁の遠位に位置付けられる。さらに一例として、シールは、第１のシール表面から延在する、少なくとも第２の突起を備え、第２の突起は、第１のシール表面を横断して閉鎖可能漏出経路を画定する。
【０００７】
例示的実施形態では、第１のローブは、遊離縁を備え、第１および第２の突起は、遊離縁に近接して位置付けられる。一例として、第１および第２の突起は、相互に隣接して位置付けられてもよい。さらなる実施例では、第１および第２の突起は、リングのまわりである角度を有するように相互に対して離間関係において位置付けられる。特定の実施例では、第１および第２の突起は、相互から１８０°離れて位置付けられる。さらなる実施例では、第１のローブは、遊離縁を備え、第１および第２の突起は、遊離縁の遠位に位置付けられる。別の実施例では、第１および第２の突起は、相互に隣接して位置付けられる。さらなる実施例では、第１および第２の突起は、リングのまわりである角度を有するように相互に対して離間関係において位置付けられる。特定の実施例では、第１および第２の突起は、相互から１８０°離れて位置付けられる。
【０００８】
さらに一例として、第１のローブは、遊離縁を備えてもよく、第１の突起は、遊離縁に隣接して位置付けられ、第２の突起は、遊離縁の遠位に位置付けられる。別の実施例では、第１および第２の突起は、相互に隣接して位置付けられる。さらに一例として、第１および第２の突起は、リングのまわりである角度を有するように相互に対して離間関係において位置付けられる。具体的実施例では、第１および第２の突起は、相互から１８０°離れて位置付けられる。具体的例示的実施形態では、第１の突起は、凸状湾曲形状を有する。特定の実施例では、第１の突起は、半球形状を有する。
【０００９】
さらに実施例として、シールは、第１のシール表面から延在する、第３および第４の突起を備える。第３および第４の突起は、第１のシール表面を横断して個別の閉鎖可能漏出経路を画定する。一例示的実施形態では、第３および第４の突起は、遊離縁に近接して、相互に隣接して位置付けられる。特定の実施例では、第３および第４の突起は、遊離縁の遠位に、相互に隣接して位置付けられる。別の実施例では、第３および第４の突起は、リングのまわりである角度を有するように第１および第２の突起に対して離間関係において位置付けられる。
【００１０】
例示的シール実施形態は、第１のシール表面から延在する、第５および第６の突起を備えてもよい。第５および第６の突起は、第１のシール表面を横断して個別の閉鎖可能漏出経路を画定する。特定の実施例では、第５および第６の突起は、遊離縁に近接して、相互に隣接して位置付けられる。別の実施例では、第５および第６の突起は、遊離縁の遠位に、相互に隣接して位置付けられる。さらに一例として、第５および第６の突起は、リングのまわりである角度を有するように第３および第４の突起に対して離間関係において位置付けられ、第３および第４の突起は、リングのまわりである角度を有するように第１および第２の突起に対して離間関係において位置付けられる。具体的例示的実施形態では、第５および第６の突起は、第３および第４の突起から１２０°離れて位置付けられ、第３および第４の突起は、第１および第２の突起から１２０°離れて位置付けられる。
【００１１】
一例として、シールはさらに、第１のローブの反対の周辺壁に取り付けられる、第２のローブを備えてもよい。第２のシール表面は、第２のローブ上に位置付けられる。第２のシール表面は、リングの周囲に円周方向に延在する。別の実施例では、少なくとも第２の突起は、第２のシール表面から延在し、第２の突起は、第２のシール表面を横断して閉鎖可能漏出経路を画定する。
【００１２】
別の例示的シールは、その周囲に円周方向に延在する第１の周辺壁を有する、第１のリングを備える。第１のローブは、第１の周辺壁に取り付けられる。第１のローブは、第１のリングの周囲に円周方向に延在する。第１のシール表面は、第１のローブ上に位置付けられる。第１のシール表面は、第１のリングの周囲に円周方向に延在する。少なくとも第１の突起は、第１のシール表面から延在する。第１の突起は、第１のシール表面を横断して閉鎖可能漏出経路を画定する。第２のリングは、第２のリングの周囲に円周方向に延在する、第２の周辺壁を有する。第２のローブは、第２の周辺壁に取り付けられる。第２のローブは、第２のリングの周囲に円周方向に延在する。第２のシール表面は、第２のローブ上に位置付けられる。第２のシール表面は、第２のリングの周囲に円周方向に延在する。管が、第１および第２のリングを相互に接続する。
【００１３】
一例として、第１のローブは、遊離縁を備える。第１の突起は、遊離縁に近接して位置付けられる。別の実施例では、第１のローブは、遊離縁を備え、第１の突起は、遊離縁の遠位に位置付けられる。さらなる実施例では、少なくとも第２の突起は、第１のシール表面から延在する。第２の突起は、第１のシール表面を横断して閉鎖可能漏出経路を画定する。例示的実施形態では、第１のローブは、遊離縁を備え、第１および第２の突起は、遊離縁に近接して位置付けられる。一例として、第１および第２の突起は、相互に隣接して位置付けられる。別の実施例では、第１および第２の突起は、リングのまわりである角度を有するように相互に対して離間関係において位置付けられる。具体的例示的実施形態では、第１および第２の突起は、相互から１８０°離れて位置付けられる。
【００１４】
例示的実施形態では、第１のローブは、遊離縁を備え、第１および第２の突起は、遊離縁の遠位に位置付けられる。別の実施例では、第１および第２の突起は、相互に隣接して位置付けられる。さらに一例として、第１および第２の突起は、リングのまわりである角度を有するように相互に対して離間関係において位置付けられる。具体的実施例では、第１および第２の突起は、相互から１８０°離れて位置付けられる。
【００１５】
例示的実施形態では、第１のローブは、遊離縁を備え、第１の突起は、遊離縁に隣接して位置付けられ、第２の突起は、遊離縁の遠位に位置付けられる。一例として、第１および第２の突起は、相互に隣接して位置付けられる。別の実施例では、第１および第２の突起は、リングのまわりである角度を有するように相互に対して離間関係において位置付けられる。具体的実施例では、第１および第２の突起は、相互から１８０°離れて位置付けられる。
【００１６】
一例として、第１の突起は、凸状湾曲形状を有する。特定の実施例では、第１の突起は、半球形状を有する。
【００１７】
例示的実施形態はさらに、第１のシール表面から延在する、第３および第４の突起を備えてもよい。第３および第４の突起は、第１のシール表面を横断して個別の閉鎖可能漏出経路を画定する。例示的実施形態では、第３および第４の突起は、遊離縁に近接して、相互に隣接して位置付けられる。別の実施例では、第３および第４の突起は、遊離縁の遠位に、相互に隣接して位置付けられる。さらに一例として、第３および第４の突起は、リングのまわりである角度を有するように第１および第２の突起に対して離間関係において位置付けられる。具体的例示的実施形態では、第３および第４の突起は、第１および第２の突起から１８０°離れて位置付けられる。別の例示的実施形態では、シールはさらに、第２のシール表面から延在する、少なくとも第２の突起を備える。一例として、第１および第２のリングは、相互に対してある角度を有するように配向される。特定の実施例では、第１および第２のリングは、９０°の配向角度を有する。
【００１８】
本発明はさらに、少なくとも２つのパイプ要素をともに接続するための継手を包含する。一例示的実施形態では、継手は、相互に取り付けられ、パイプ要素を受容するために少なくとも第１および第２のレセプタクルを画定する、第１および第２の筐体部分を備える。筐体部分はさらに、第１および第２のレセプタクル間に延在する流体路を画定する。シールは、第１および第２の筐体部分間に位置付けられる。例示的実施形態では、シールは、その周囲に円周方向に延在する第１の周辺壁を有する、第１のリングを備える。第１のリングは、第１のレセプタクル内に受容される。第１のローブは、第１の周辺壁に取り付けられる。第１のローブは、第１のリングの周囲に円周方向に延在する。第１のシール表面は、第１のローブ上に位置付けられる。第１のシール表面は、第１のリングの周囲に円周方向に延在する。少なくとも第１の突起は、第１のシール表面から延在する。第１の突起は、第１のシール表面を横断して閉鎖可能漏出経路を画定する。第２の周辺壁を有する、第２のリングは、第２のリングの周囲に円周方向に延在する。第２のリングは、第２のレセプタクル内に受容される。第２のローブは、第２の周辺壁に取り付けられる。第２のローブは、第２のリングの周囲に円周方向に延在する。第２のシール表面は、第２のローブ上に位置付けられる。第２のシール表面は、第２のリングの周囲に円周方向に延在する。管が、第１および第２のリングを相互に接続し、流体路に沿って延在する。複数の調節可能接続部材が、第１および第２の筐体部分を相互に取り付ける。筐体部分は、筐体部分が相互に取り付けられる間、パイプ要素がレセプタクルの中に挿入されることを可能にするために十分な離間関係において支持される。第１および第２のシール表面はそれぞれ、パイプ要素に接触する。第１の突起は、パイプ要素のうちの１つに係合し、第１のシール表面の一部をそこから離れた離間関係に維持する。各接続部材は、筐体部分を相互に向かって牽引し、第１のシール表面の一部をパイプ要素のうちの１つとのシール係合するように圧縮し、それによって、漏出経路を閉鎖するように、調節可能に緊締可能である。
【００１９】
特定の例示的実施形態では、筐体部分は、パイプ要素がレセプタクルの中に挿入されることを可能にするために十分な相互からの離間関係において、事前に組み立てられた状態でシール上に支持される。
【００２０】
本発明はさらに、パイプ要素を端間関係において継合するためのカップリングを備える。例示的実施形態では、カップリングは、相互の端間に取り付けられ、中心空間を囲繞する、複数の区画を備える。区画はそれぞれ、中心空間の周囲に円周方向に延在し、それに面する、チャネルを有する。接続部材が、区画のそれぞれの反対端に位置付けられる。接続部材は、区画を相互に向かって牽引するために調節可能に緊締可能である。シールが、区画間に位置付けられる。一例として、シールは、その周囲に円周方向に延在する周辺壁を有する、リングを備える。リングは、チャネル内に受容される。第１のローブが、周辺壁に取り付けられる。第１のローブは、リングの周囲に円周方向に延在する。第１のシール表面が、第１のローブ上に位置付けられる。第１のシール表面が、リングの周囲に円周方向に延在する。少なくとも第１の突起が、第１のシール表面から延在する。第２のローブが、第１のローブと反対の周辺壁に取り付けられる。第２のローブは、リングの周囲に円周方向に延在する。第２のシール表面が、第２のローブ上に位置付けられる。第２のシール表面は、リングの周囲に円周方向に延在する。区画は、区画が相互に取り付けられる間、パイプ要素が中心空間の中に挿入されることを可能にするために十分な離間関係において支持される。第１および第２のシール表面はそれぞれ、パイプ要素に接触する。第１の突起は、パイプ要素のうちの１つに係合し、第１のシール表面の一部をそこから離れた離間関係に維持する。接続部材の緊締は、区画を相互に向かって牽引し、それによって、第１のシール表面の一部をパイプ要素のうちの１つとのシール係合するように圧縮し、それによって、漏出経路を閉鎖する。例示的実施形態では、区画は、パイプ要素が中心空間の中に挿入されることを可能にするために十分な相互からの離間関係において、事前に組み立てられた状態でシール上に支持される。
本発明は、例えば、以下を提供する。
（項目１）
シールであって、
リングであって、前記リングは、前記リングの周囲に円周方向に延在する周辺壁を有する、リングと、
前記周辺壁に取り付けられる、第１のローブであって、前記リングの周囲に円周方向に延在する、第１のローブと、
前記第１のローブ上に位置付けられる、第１のシール表面であって、前記リングの周囲の円周方向に延在する、第１のシール表面と、
前記第１のシール表面から延在する、少なくとも第１の突起であって、前記第１のシール表面を横断して閉鎖可能漏出経路を画定する、第１の突起と、
を備える、シール。
（項目２）
前記第１のローブは、遊離縁を備え、前記第１の突起は、前記遊離縁に近接して位置付けられる、項目１に記載のシール。
（項目３）
前記第１のローブは、遊離縁を備え、前記第１の突起は、前記遊離縁の遠位に位置付けられる、項目１に記載のシール。
（項目４）
前記第１のシール表面から延在する、少なくとも第２の突起をさらに備え、前記第２の突起は、前記第１のシール表面を横断して閉鎖可能漏出経路を画定する、項目１に記載のシール。
（項目５）
前記第１のローブは、遊離縁を備え、前記第１および第２の突起は、前記遊離縁に近接して位置付けられる、項目４に記載のシール。
（項目６）
前記第１および第２の突起は、相互に隣接して位置付けられる、項目５に記載のシール。
（項目７）
前記第１および第２の突起は、前記リングのまわりである角度を有するように相互に対して離間関係において位置付けられる、項目５に記載のシール。
（項目８）
前記第１および第２の突起は、相互から１８０°離れて位置付けられる、項目７に記載のシール。
（項目９）
前記第１のローブは、遊離縁を備え、前記第１および第２の突起は、前記遊離縁の遠位に位置付けられる、項目４に記載のシール。
（項目１０）
前記第１および第２の突起は、相互に隣接して位置付けられる、項目９に記載のシール。
（項目１１）
前記第１および第２の突起は、前記リングのまわりである角度を有するように相互に対して離間関係において位置付けられる、項目９に記載のシール。
（項目１２）
前記第１および第２の突起は、相互から１８０°離れて位置付けられる、項目１１に記載のシール。
（項目１３）
前記第１のローブは、遊離縁を備え、前記第１の突起は、前記遊離縁に隣接して位置付けられ、前記第２の突起は、前記遊離縁の遠位に位置付けられる、項目４に記載のシール。
（項目１４）
前記第１および第２の突起は、相互に隣接して位置付けられる、項目１３に記載のシール。
（項目１５）
前記第１および第２の突起は、前記リングのまわりである角度を有するように相互に対して離間関係において位置付けられる、項目１３に記載のシール。
（項目１６）
前記第１および第２の突起は、相互から１８０°離れて位置付けられる、項目１５に記載のシール。
（項目１７）
前記第１の突起は、凸状湾曲形状を有する、項目１に記載のシール。
（項目１８）
前記第１の突起は、半球形状を有する、項目１７に記載のシール。
（項目１９）
前記第１のシール表面から延在する、第３および第４の突起をさらに備え、前記第３および第４の突起は、前記第１のシール表面を横断して個別の閉鎖可能漏出経路を画定する、項目６に記載のシール。
（項目２０）
前記第３および第４の突起は、前記遊離縁に近接して、相互に隣接して位置付けられる、項目１９に記載のシール。
（項目２１）
前記第３および第４の突起は、前記遊離縁の遠位に、相互に隣接して位置付けられる、項目１９に記載のシール。
（項目２２）
前記第３および第４の突起は、前記リングのまわりである角度を有するように前記第１および第２の突起に対して離間関係において位置付けられる、項目１９に記載のシール。（項目２３）
前記第１のシール表面から延在する、第５および第６の突起をさらに備え、前記第５および第６の突起は、前記第１のシール表面を横断して個別の閉鎖可能漏出経路を画定する、項目１９に記載のシール。
（項目２４）
前記第５および第６の突起は、前記遊離縁に近接して、相互に隣接して位置付けられる、項目２３に記載のシール。
（項目２５）
前記第５および第６の突起は、前記遊離縁の遠位に、相互に隣接して位置付けられる、項目２３に記載のシール。
（項目２６）
前記第５および第６の突起は、前記リングのまわりである角度を有するように前記第３および第４の突起に対して離間関係において位置付けられ、前記第３および第４の突起は、前記リングのまわりである角度を有するように前記第１および第２の突起に対して離間関係において位置付けられる、項目２３に記載のシール。
（項目２７）
前記第５および第６の突起は、前記第３および第４の突起から１２０°離れて位置付けられ、前記第３および第４の突起は、前記第１および第２の突起から１２０°離れて位置付けられる、項目２６に記載のシール。
（項目２８）
前記第１のローブの反対の前記周辺壁に取り付けられる、第２のローブと、
前記第２のローブ上に位置付けられる、第２のシール表面であって、前記リングの周囲に円周方向に延在する、第２のシール表面と、
をさらに備える、項目１に記載のシール。
（項目２９）
前記第２のシール表面から延在する、少なくとも第２の突起をさらに備え、前記第２の突起は、前記第２のシール表面を横断して閉鎖可能漏出経路を画定する、項目２８に記載のシール。
（項目３０）
シールであって、
第１のリングであって、前記第１のリングは、前記第１のリングの周囲に円周方向に延在する第１の周辺壁を有する、第１のリングと、
前記第１の周辺壁に取り付けられる、第１のローブであって、前記第１のリングの周囲に円周方向に延在する、第１のローブと、
前記第１のローブ上に位置付けられる、第１のシール表面であって、前記第１のリングの周囲に円周方向に延在する、第１のシール表面と、
前記第１のシール表面から延在する、少なくとも第１の突起であって、前記第１のシール表面を横断して閉鎖可能漏出経路を画定する、第１の突起と、
前記第２のリングの周囲に円周方向に延在する第２の周辺壁を有する、第２のリングと、
前記第２の周辺壁に取り付けられる、第２のローブであって、前記第２のリングの周囲に円周方向に延在する、第２のローブと、
前記第２のローブ上に位置付けられる、第２のシール表面であって、前記第２のリングの周囲に円周方向に延在する、第２のシール表面と、
前記第１および第２のリングを相互に接続する、管と、
を備える、シール。
（項目３１）
前記第１のローブは、遊離縁を備え、前記第１の突起は、前記遊離縁に近接して位置付けられる、項目３０に記載のシール。
（項目３２）
前記第１のローブは、遊離縁を備え、前記第１の突起は、前記遊離縁の遠位に位置付けられる、項目３０に記載のシール。
（項目３３）
前記第１のシール表面から延在する、少なくとも第２の突起をさらに備え、前記第２の突起は、前記第１のシール表面を横断して閉鎖可能漏出経路を画定する、項目３０に記載のシール。
（項目３４）
前記第１のローブは、遊離縁を備え、前記第１および第２の突起は、前記遊離縁に近接して位置付けられる、項目３３に記載のシール。
（項目３５）
前記第１および第２の突起は、相互に隣接して位置付けられる、項目３４に記載のシール。
（項目３６）
前記第１および第２の突起は、前記リングのまわりである角度を有するように相互に対して離間関係において位置付けられる、項目３４に記載のシール。
（項目３７）
前記第１および第２の突起は、相互から１８０°離れて位置付けられる、項目３６に記載のシール。
（項目３８）
前記第１のローブは、遊離縁を備え、前記第１および第２の突起は、前記遊離縁の遠位に位置付けられる、項目３３に記載のシール。
（項目３９）
前記第１および第２の突起は、相互に隣接して位置付けられる、項目３８に記載のシール。
（項目４０）
前記第１および第２の突起は、前記リングのまわりである角度を有するように相互に対して離間関係において位置付けられる、項目３８に記載のシール。
（項目４１）
前記第１および第２の突起は、相互から１８０°離れて位置付けられる、項目４０に記載のシール。
（項目４２）
前記第１のローブは、遊離縁を備え、前記第１の突起は、前記遊離縁に隣接して位置付けられ、前記第２の突起は、前記遊離縁の遠位に位置付けられる、項目３３に記載のシール。
（項目４３）
前記第１および第２の突起は、相互に隣接して位置付けられる、項目４２に記載のシール。
（項目４４）
前記第１および第２の突起は、前記リングのまわりである角度を有するように相互に対して離間関係において位置付けられる、項目４２に記載のシール。
（項目４５）
前記第１および第２の突起は、相互から１８０°離れて位置付けられる、項目４４に記載のシール。
（項目４６）
前記第１の突起は、凸状湾曲形状を有する、項目３０に記載のシール。
（項目４７）
前記第１の突起は、半球形状を有する、項目４６に記載のシール。
（項目４８）
前記第１のシール表面から延在する、第３および第４の突起をさらに備え、前記第３および第４の突起は、前記第１のシール表面を横断して個別の閉鎖可能漏出経路を画定する、項目３５に記載のシール。
（項目４９）
前記第３および第４の突起は、前記遊離縁に近接して、相互に隣接して位置付けられる、項目４８に記載のシール。
（項目５０）
前記第３および第４の突起は、前記遊離縁の遠位に、相互に隣接して位置付けられる、項目４８に記載のシール。
（項目５１）
前記第３および第４の突起は、前記リングのまわりである角度を有するように前記第１および第２の突起に対して離間関係において位置付けられる、項目４８に記載のシール。（項目５２）
前記第３および第４の突起は、前記第１および第２の突起から１８０°離れて位置付けられる、項目５１に記載のシール。
（項目５３）
前記第２のシール表面から延在する、少なくとも第２の突起をさらに備える、項目３０に記載のシール。
（項目５４）
前記第１および第２のリングは、相互に対してある角度を有するように配向される、項目３０に記載のシール。
（項目５５）
前記第１および第２のリングは、９０°の配向角度を有する、項目５４に記載のシール。
（項目５６）
少なくとも２つのパイプ要素をともに接続するための継手であって、
相互に取り付けられ、前記パイプ要素を受容するための少なくとも第１および第２のレセプタクルを画定する、第１および第２の筐体部分であって、前記第１および第２のレセプタクル間に延在する流体路をさらに画定する、筐体部分と、
前記第１および第２の筐体部分間に位置付けられる、シールであって、
第１のリングであって、前記第１のリングは、前記第１のリングの周囲に円周方向に延在する第１の周辺壁を有し、前記第１のリングは、前記第１のレセプタクル内に受容される、第１のリングと、
前記第１の周辺壁に取り付けられる、第１のローブであって、前記第１のリングの周囲に円周方向に延在する、第１のローブと、
前記第１のローブ上に位置付けられる、第１のシール表面であって、前記第１のリングの周囲に円周方向に延在する、第１のシール表面と、
前記第１のシール表面から延在する、少なくとも第１の突起であって、前記第１のシール表面を横断して閉鎖可能漏出経路を画定する、第１の突起と、
前記第２のリングの周囲に円周方向に延在する第２の周辺壁を有する、第２のリングであって、前記第２のレセプタクル内に受容される、第２のリングと、
前記第２の周辺壁に取り付けられる、第２のローブであって、前記第２のリングの周囲に円周方向に延在する、第２のローブと、
前記第２のローブ上に位置付けられる、第２のシール表面であって、前記第２のリングの周囲に円周方向に延在する、第２のシール表面と、
前記第１および第２のリングを相互に接続し、前記流体路に沿って延在する、管と、
前記第１および第２の筐体部分を相互に取り付ける、複数の調節可能接続部材であって、前記筐体部分は、前記筐体部分が相互に取り付けられる間、前記パイプ要素が前記レセプタクルの中に挿入されることを可能にするために十分な離間関係において支持され、前記第１および第２のシール表面はそれぞれ、前記パイプ要素に接触し、前記第１の突起は、前記パイプ要素のうちの１つに係合し、前記第１のシール表面の一部をそこから離れた離間関係に維持し、各前記接続部材は、前記筐体部分を相互に向かって牽引する、および前記第１のシール表面の一部を前記１つのパイプ要素とのシール係合するように圧縮し、それによって、前記漏出経路を閉鎖するように調節可能に緊締可能である、調節可能接続部材と、
を備える、シールと、
を備える、継手。
（項目５７）
前記筐体部分は、前記パイプ要素が前記レセプタクルの中に挿入されることを可能にするために十分な相互からの離間関係において、事前に組み立てられた状態で前記シール上に支持される、項目５６に記載の継手。
（項目５８）
前記第１のローブは、遊離縁を備え、前記第１の突起は、前記遊離縁に近接して位置付けられる、項目５６に記載の継手。
（項目５９）
前記第１のローブは、遊離縁を備え、前記第１の突起は、前記遊離縁の遠位に位置付けられる、項目５６に記載の継手。
（項目６０）
前記第１のシール表面から延在する、少なくとも第２の突起をさらに備え、前記第２の突起は、前記第１のシール表面を横断して閉鎖可能漏出経路を画定する、項目５６に記載の継手。
（項目６１）
前記第１のローブは、遊離縁を備え、前記第１および第２の突起は、前記遊離縁に近接して位置付けられる、項目６０に記載の継手。
（項目６２）
前記第１および第２の突起は、相互に隣接して位置付けられる、項目６１に記載の継手。
（項目６３）
前記第１および第２の突起は、前記リングのまわりである角度を有するように相互に対して離間関係において位置付けられる、項目６１に記載の継手。
（項目６４）
前記第１および第２の突起は、相互から１８０°離れて位置付けられる、項目６３に記載の継手。
（項目６５）
前記第１のローブは、遊離縁を備え、前記第１および第２の突起は、前記遊離縁の遠位に位置付けられる、項目６０に記載の継手。
（項目６６）
前記第１および第２の突起は、相互に隣接して位置付けられる、項目６５に記載の継手。
（項目６７）
前記第１および第２の突起は、前記リングのまわりである角度を有するように相互に対して離間関係において位置付けられる、項目６５に記載の継手。
（項目６８）
前記第１および第２の突起は、相互から１８０°離れて位置付けられる、項目６７に記載の継手。
（項目６９）
前記第１のローブは、遊離縁を備え、前記第１の突起は、前記遊離縁に隣接して位置付けられ、前記第２の突起は、前記遊離縁の遠位に位置付けられる、項目６０に記載の継手。
（項目７０）
前記第１および第２の突起は、相互に隣接して位置付けられる、項目６９に記載の継手。
（項目７１）
前記第１および第２の突起は、前記リングのまわりである角度を有するように相互に対して離間関係において位置付けられる、項目６９に記載の継手。
（項目７２）
前記第１および第２の突起は、相互から１８０°離れて位置付けられる、項目７１に記載の継手。
（項目７３）
前記第１の突起は、凸状湾曲形状を有する、項目５６に記載の継手。
（項目７４）
前記第１の突起は、半球形状を有する、項目７３に記載の継手。
（項目７５）
前記第１のシール表面から延在する、第３および第４の突起をさらに備え、前記第３および第４の突起は、前記第１のシール表面を横断して個別の閉鎖可能漏出経路を画定する、項目６２に記載の継手。
（項目７６）
前記第３および第４の突起は、前記遊離縁に近接して、相互に隣接して位置付けられる、項目７５に記載の継手。
（項目７７）
前記第３および第４の突起は、前記遊離縁の遠位に、相互に隣接して位置付けられる、項目７５に記載の継手。
（項目７８）
前記第３および第４の突起は、前記リングのまわりである角度を有するように前記第１および第２の突起に対して離間関係において位置付けられる、項目７５に記載の継手。
（項目７９）
前記第３および第４の突起は、前記第１および第２の突起から１８０°離れて位置付けられる、項目７８に記載の継手。
（項目８０）
前記第２のシール表面から延在する、少なくとも第２の突起をさらに備え、前記第２の突起は、前記第２のシール表面を横断して閉鎖可能漏出経路を画定する、項目５６に記載の継手。
（項目８１）
前記第１および第２のリングは、相互に対してある角度を有するように配向される、項目５６に記載の継手。
（項目８２）
前記第１および第２のリングは、９０°の配向角度を有する、項目８１に記載の継手。（項目８３）
パイプ要素を端間関係において継合するためのカップリングであって、
相互の端間に取り付けられ、中心空間を囲繞する、複数の区画であって、前記区画はそれぞれ、前記中心空間の周囲に円周方向に延在し、それに面する、チャネルを有する、複数の区画と、
前記区画のそれぞれの反対端に位置付けられる、接続部材であって、前記区画を相互に向かって牽引するために調節可能に緊締可能である、接続部材と、
前記区画間に位置付けられる、シールであって、
リングであって、前記リングは、前記リングの周囲に円周方向に延在する周辺壁を有し、前記リングは、前記チャネル内に受容される、リングと、
前記周辺壁に取り付けられる、第１のローブであって、前記リングの周囲に円周方向に延在する、第１のローブと、
前記第１のローブ上に位置付けられる、第１のシール表面であって、前記リングの周囲の円周方向に延在する、第１のシール表面と、
前記第１のシール表面から延在する、少なくとも第１の突起と、
前記第１のローブの反対の前記周辺壁に取り付けられる、第２のローブであって、前記リングの周囲に円周方向に延在する、第２のローブと、
前記第２のローブ上に位置付けられる、第２のシール表面であって、前記リングの周囲に円周方向に延在する、第２のシール表面と、
を備え、
前記区画は、前記区画が相互に取り付けられる間、前記パイプ要素が前記中心空間の中に挿入されることを可能にするために十分な離間関係において支持され、前記第１および第２のシール表面はそれぞれ、前記パイプ要素に接触し、前記第１の突起は、前記パイプ要素のうちの１つに係合し、前記第１のシール表面の一部をそこから離れた離間関係に維持する、シールと、
前記接続部材の緊締は、前記区画を相互に向かって牽引し、それによって、前記第１のシール表面の一部を前記１つのパイプ要素とのシール係合するように圧縮し、それによって、前記漏出経路を閉鎖する、カップリング。
（項目８４）
前記区画は、前記パイプ要素が前記中心空間の中に挿入されることを可能にするために十分な相互からの離間関係において、事前に組み立てられた状態で前記シール上に支持される、項目８３に記載のカップリング。
（項目８５）
前記第１のローブは、遊離縁を備え、前記第１の突起は、前記遊離縁に近接して位置付けられる、項目８３に記載のカップリング。
（項目８６）
前記第１のローブは、遊離縁を備え、前記第１の突起は、前記遊離縁の遠位に位置付けられる、項目８３に記載のカップリング。
（項目８７）
前記第１のシール表面から延在する、少なくとも第２の突起をさらに備え、前記第２の突起は、前記第１のシール表面を横断して閉鎖可能漏出経路を画定する、項目８３に記載のカップリング。
（項目８８）
前記第１のローブは、遊離縁を備え、前記第１および第２の突起は、前記遊離縁に近接して位置付けられる、項目８７に記載のカップリング。
（項目８９）
前記第１および第２の突起は、相互に隣接して位置付けられる、項目８８に記載のカップリング。
（項目９０）
前記第１および第２の突起は、前記リングのまわりである角度を有するように相互に対して離間関係において位置付けられる、項目８８に記載のカップリング。
（項目９１）
前記第１および第２の突起は、相互から１８０°離れて位置付けられる、項目９０に記載のカップリング。
（項目９２）
前記第１のローブは、遊離縁を備え、前記第１および第２の突起は、前記遊離縁の遠位に位置付けられる、項目８７に記載のカップリング。
（項目９３）
前記第１および第２の突起は、相互に隣接して位置付けられる、項目９２に記載のカップリング。
（項目９４）
前記第１および第２の突起は、前記リングのまわりである角度を有するように相互に対して離間関係において位置付けられる、項目９２に記載のカップリング。
（項目９５）
前記第１および第２の突起は、相互から１８０°離れて位置付けられる、項目９４に記載のカップリング。
（項目９６）
前記第１のローブは、遊離縁を備え、前記第１の突起は、前記遊離縁に隣接して位置付けられ、前記第２の突起は、前記遊離縁の遠位に位置付けられる、項目８７に記載のカップリング。
（項目９７）
前記第１および第２の突起は、相互に隣接して位置付けられる、項目９６に記載のカップリング。
（項目９８）
前記第１および第２の突起は、前記リングのまわりである角度を有するように相互に対して離間関係において位置付けられる、項目９６に記載のカップリング。
（項目９９）
前記第１および第２の突起は、相互から１８０°離れて位置付けられる、項目９８に記載のカップリング。
（項目１００）
前記第１の突起は、凸状湾曲形状を有する、項目８３に記載のカップリング。
（項目１０１）
前記第１の突起は、半球形状を有する、項目１００に記載のカップリング。
（項目１０２）
前記第１のシール表面から延在する、第３および第４の突起をさらに備え、前記第３および第４の突起は、前記第１のシール表面を横断して個別の閉鎖可能漏出経路を画定する、項目８９に記載のカップリング。
（項目１０３）
前記第３および第４の突起は、前記遊離縁に近接して、相互に隣接して位置付けられる、項目１０２に記載のカップリング。
（項目１０４）
前記第３および第４の突起は、前記遊離縁の遠位に、相互に隣接して位置付けられる、項目１０２に記載のカップリング。
（項目１０５）
前記第３および第４の突起は、前記リングのまわりである角度を有するように前記第１および第２の突起に対して離間関係において位置付けられる、項目１０２に記載のカップリング。
（項目１０６）
前記第３および第４の突起は、前記第１および第２の突起から１８０°離れて位置付けられる、項目１０５に記載のカップリング。
（項目１０７）
前記第２のシール表面から延在する、少なくとも第２の突起をさらに備え、前記第２の突起は、前記第２のシール表面を横断して閉鎖可能漏出経路を画定する、項目８３に記載のカップリング。
【図面の簡単な説明】
【００２１】
【図１】図１は、本発明による、シールの例示的実施形態の軸方向図である。
【図１Ａ】図１Ａおよび１Ｂは、本発明による、シールの付加的例示的実施形態の部分的図である。
【図１Ｂ】図１Ａおよび１Ｂは、本発明による、シールの付加的例示的実施形態の部分的図である。
【図２】図２は、図１の線２−２において得られた断面図である。
【図３】図３は、図１に示される例示的シールを使用した例示的カップリングの軸方向図である。
【図４】図４は、図３の線４−４において得られた断面図である。
【図５】図５は、図１に示される例示的シールを使用したパイプ継合部の形成を図示する、縦方向断面図である。
【図５Ａ】図５Ａは、拡大スケールにおける図５の一部を示す。
【図５Ｂ】図５Ｂおよび５Ｃは、それぞれ、図５の線５Ｂおよび５Ｃにおいて得られた拡大スケールにおける部分的断面軸方向図を示す。
【図５Ｃ】図５Ｂおよび５Ｃは、それぞれ、図５の線５Ｂおよび５Ｃにおいて得られた拡大スケールにおける部分的断面軸方向図を示す。
【図６】図６は、図１に示される例示的シールを使用したパイプ継合部の形成を図示する、縦方向断面図である。
【図６Ａ】図６Ａは、拡大スケールにおける図６の一部を示す。
【図６Ｂ】図６Ｂおよび６Ｃは、それぞれ、図６の線６Ｂおよび６Ｃにおいて得られた拡大スケールにおける部分的断面軸方向図を示す。
【図６Ｃ】図６Ｂおよび６Ｃは、それぞれ、図６の線６Ｂおよび６Ｃにおいて得られた拡大スケールにおける部分的断面軸方向図を示す。
【図７】図７は、本発明による、シールの別の例示的実施形態の縦方向断面図である。
【図８】図８は、図７に示されるシールの等角図である。
【図９】図９は、本発明による、例示的シールの別の実施形態の分解等角図である。
【図１０】図１０は、図７に示される例示的シールを使用した例示的継手の等角図である。
【図１１】図１１は、図１０における線１１−１１において得られた継手の縦方向断面図である。
【図１２】図１２は、図７に示される例示的シールを使用した例示的継手の等角図である。
【図１３】図１３は、図１２における線１３−１３において得られた継手の縦方向断面図である。
【発明を実施するための形態】
【００２２】
図１および２は、本発明による、例示的シール１０を示す。シール１０は、ＥＰＤＭ、ニトリルゴム、ならびに他のエラストマ等の可撓性の弾力性材料から形成され、リングの周囲に円周方向に延在する周辺壁１４を有する、リング１２を備える。第１のローブ１６は、周辺壁１４に取り付けられ、第１のローブもまた、リングの周囲に円周方向に延在する。第１のシール表面１８は、第１のローブ上に位置付けられる。シール表面１８は、リング１２の周囲に円周方向に延在し、パイプ要素に係合し、以下に説明されるように、液密シールをもたらす（また、図５および６参照）。少なくとも１つの突起２０が、シール表面１８から延在する。シール表面１８が、パイプ要素に係合すると、突起は、シール表面の一部をパイプ要素から離れた離間関係に維持することによって、シール表面を横断して閉鎖可能漏出経路２２を画定する。
【００２３】
例示的シール１０では、６つの突起２０が、３つの対２４、２６、および２８に配列され、各対の突起２０は、相互に隣接して配列される。各突起は、突起２０間かつそれに隣接して潜在的漏出経路２２を形成する。突起対２４、２６、および２８は、リングのまわりである角度を有するように相互に対して離間関係においてシール表面１８上に配列される。本特定の実施例では、対は、相互から１２０°離れて位置付けられる（図１参照）。他の角度構成も、当然ながら、実行可能である。
【００２４】
ローブ１６は、遊離縁３０を有し、突起２０は、遊離縁３０に近接してシール表面１８上に位置付けられるように図１および２に示される。他の構成もまた、図１Ａに示されるように、閉鎖可能漏出経路２２を生成する際に効果的であることが予期され、隣接する突起２０は、リング１２のまわりである角度を有するように相互に対して離間関係において、遊離縁３０の遠位にシール表面１８上に位置付けられる。図１Ｂは、別の構成を示し、一対の隣接する突起２０が、シール表面１８上に位置付けられ、一方の突起は、遊離縁３０に近接し、他方は、その遠位にある。本実施例では、突起２０は、リング１２のまわりである角度を有するように相互に対して離間関係において位置付けられる。
【００２５】
例示的シール実施形態１０では、突起は、凸状湾曲形状を有する。図１および２に示されるように、形状は、半球３２の形態をとる。楕円形、卵形、および同等物等の他の凸形状もまた、実行可能である。円錐、立方体、平行六面体、および角錐等の非凸形状もまた、突起２０として効果的であることが予期される。
【００２６】
図１および２の例示的シール実施形態１０は、機械的カップリング３４と併用するためのものであって、その実施例は、図３および４に示される。カップリング３４と併用するためのシール１０は、第１のローブ１６と反対の周辺壁１４に取り付けられる、第２のローブ３６を有し、第２のローブは、リング１２の周囲に円周方向に延在する。第２のシール表面３８が、第２のローブ３６上に位置付けられ、第２のシール表面もまた、リング１２の周囲に円周方向に延在する。第２のローブ３６は、遊離縁４０を有する。図２に示されるように、突起２０はまた、上記に説明されるような種々の構成において、第２のローブ３６上に位置付けられてもよい。本例示的実施形態では、単一突起２０のみが、第２のローブ３６上に存在する。
【００２７】
図３および４に示されるように、カップリング３４は、相互の端間に取り付けられ、それによって、中心空間４６を囲繞する、複数の区画、本実施例では、２つの区画４２および４４を備える。図４に示されるように、各区画４２および４４は、中心空間４６の周囲に円周方向に延在し、それに面する、チャネル４８を有する。図３に示されるように、接続部材５０が、各区画４２および４４の反対端に位置付けられる。接続部材５０は、区画４２および４４を相互に向かって牽引するために調節可能に緊締可能である。本実施例では、接続部材５０は、区画４２および４４の端部から外向きに突出する、つまみ５２を備える。つまみ５２は、緊締に応じて区画を相互に向かって牽引するための機械的調節を提供する、締結具５４を受容する。
【００２８】
図４に示されるように、シール１０は、各区画４２および４４のチャネル４８内に受容され、区画間に位置付けられる。特定の例示的実施形態では、シール１０は、パイプ要素が図３に示される事前に組み立てられた状態でカップリングの中に挿入されることを可能にするために十分な離間関係において、区画を支持するように定寸される。事前に組み立てられた状態では、区画４２および４４は、離間関係において支持され、締結具５４によってシール１０に対して保持される。
【００２９】
図５および６は、本発明による、例示的シール１０を使用してパイプ継合部を形成する方法を図示する。図５に示されるように、パイプ要素５６および５８は、その事前に組み立てられた状態にある間、カップリング３４の区画４２および４４によって画定された中心空間４６の中に挿入される。パイプ要素は、シール１０のシール表面１８および３８に係合し、それを偏向させることに留意されたい。シール表面１８または３８のうちの少なくとも１つ上の１つもしくはそれを上回る突起２０の不在下では、締結具５４が、まだ緊締されていない、または適切なシール継合部を形成するために十分に緊締されていないという事実にもかかわらず、低圧シールがシール１０とパイプ要素との間に形成されることが可能性として考えられる。その結果、配管網の低圧試験の間、配管網は、圧力を維持し、液密であるように考えられ、それによって、全てのカップリングが適切に据え付けられているという誤ったインジケーションを与え得る。しかしながら、（はるかに高い）点検圧力が配管網に印加されると、緊締されていない、または十分に緊締されていない、それらの継合部は、漏出し得る。
【００３０】
別の実施形態では、カップリングは、挿入によってパイプ要素を受容するように事前に組み立てられず、最初に、シールを区画間から除去するように分解されなければならない。除去に応じて、シールは、最初に、潤滑され、次いで、パイプ要素のうちの第１のものを受容するように伸展され、シールは、１つのパイプ要素上に完全に位置付けられる。第２のパイプ要素が、次いで、第１のパイプ要素と端間関係において位置付けられ、シールが、個別のシール表面が個別のパイプ要素に係合するように移動される。シールが両方パイプ要素上の定位置に来ると、区画は、次いで、一度に１つずつ設置され、パイプ要素の端部に跨架し、リングシールをそれらの間に捕捉する。
【００３１】
図５Ａおよび５Ｂ（事前に組み立てられたカップリングおよび事前に組み立てられていないカップリングの両方）に示されるように、１つまたはそれを上回る突起２０が、シール表面１８および３８（３８が示される）の一方または両方上に存在する場合、それらは、カップリング３４が依然として事前に組み立てられた状態にあるとき（または事前に組み立てられていないカップリングに関しては、締結具が緊締される前に）、漏出経路２２をシール表面１８および３８とパイプ要素５６および５８との間に提供することによって、早期シールを防止する。突起２０が、シール表面１８および３８の一方または両方の一部をパイプ要素から離れて離間関係に維持するため、漏出経路が形成される。突起２０によって提供される漏出経路２２は、低圧試験が全てのカップリングが適切に据え付けられているかどうかを確実に示すであろうことを確実にする。図６、６Ａ、および６Ｂに示されるように、漏出経路２２は、締結具５４（また、図３参照）が、区画４２および４４を相互に向かって牽引するように十分に緊締され、それによって、シール１０を圧縮および変形させ、区画とパイプ要素との間の係合を強制し、液密機械的継合部を形成すると、閉鎖し、効果的シールが、形成される。図５Ａおよび６Ａの比較は、漏出経路の閉鎖が、シール表面３８の外側部分３８ａをパイプ要素５８と接触させるためのローブ３６の変形によってもたらされることを詳細に示す。図５Ｃおよび６Ｃは、２つの突起２０を有する、ローブ１６の類似挙動を図示し、シール表面１８の外側部分１８ａは、パイプ要素５６に対するシールをもたらす。緊締の充足は、例えば、区画４２および４４上の対向つまみ５２（図３参照）間の「パッド間」係合によって、または締結具を設計および実験を通して既知の規定されたトルクまで緊締し、液密機械的継合部をもたらすことによって明白になり得る。カップリング３４とパイプ要素との間の係合は、図６に示されるように、パイプ要素内の円周方向溝６２に係合する各区画上の内向きに突出するキー６０によってもたらされてもよい。溝付きパイプ要素が図示されるが、これは、一例であって、本発明によるシールはまた、単純端部パイプ要素ならびに肩端パイプ要素と併用されるときも効果的であることを理解されたい。
【００３２】
図７および８は、本発明による、別の例示的シール６４を示す。シール６４は、ＥＰＤＭ、ニトリルゴム、ならびに他のエラストマ等の可撓性の弾力性材料から形成され、図１０−１３に示されるエルボ継手等の継手と併用される。シール６４は、第１のリングの周囲に円周方向に延在する周辺壁６８を有する、第１のリング６６を備える。第１のローブ７０は、周辺壁６８に取り付けられ、第１のローブはまた、リングの周囲に円周方向に延在する。第１のシール表面７２は、第１のローブ上に位置付けられる。シール表面７２は、第１のリング６６の周囲に円周方向に延在し、パイプ要素に係合し、以下に説明されるように、液密シールをもたらす。少なくとも１つの突起７４が、第１のシール表面７２から延在する。第１のシール表面７２が、パイプ要素に係合すると、突起は、シール表面を横断して閉鎖可能漏出経路７６を画定する。シール６４はさらに、第２のリングの周囲に円周方向に延在する周辺壁８０を有する、第２のリング７８を備える。第２のローブ８２は、周辺壁８０に取り付けられ、第２のローブもまた、リングの周囲に円周方向に延在する。第２のシール表面８４は、第２のローブ上に位置付けられる。シール表面８４は、第２のリング７８の周囲に円周方向に延在し、パイプ要素に係合し、以下に説明されるように、液密シールをもたらす。少なくとも１つの突起７４が、第２のシール表面８４から延在する。第２のシール表面８４が、パイプ要素に係合すると、突起は、シール表面を横断して閉鎖可能漏出経路７６を画定する。管８６が、第１および第２のリングを相互に接続する。管８６は、第１および第２のリング６６ならびに７８と一体的に形成されてもよい、または図９に示されるように、別個の構成要素を備えてもよい。
【００３３】
図８に示される例示的シール６４では、４つの突起７４が、２つの対８８および９０に配列され、各対の突起７４は、相互に隣接して配列される。各突起は、突起７４間かつそれに隣接しての両方で潜在的漏出経路７６を形成する。突起対８８および９０は、リングのまわりである角度を有するように相互に対して離間関係において、シール表面７２および８４の一方または両方上に配列される（また、図７参照）。本特定の実施例では、対は、相互から１８０°離れて位置付けられる（図８参照）。他の角度構成も、当然ながら、実行可能である。
【００３４】
図７に示されるように、第１および第２のローブ７０ならびに８２はそれぞれ、個別の遊離縁９２および９４を有する。突起７４は、遊離縁９２および９４に近接するシール表面７２ならびに８４上に位置付けられように図７に示される。他の構成もまた、図９に示されるように、閉鎖可能漏出経路７６を生成する際に効果的であることが予期され、隣接する突起７４は、リング６６のまわりである角度を有するように相互に対して離間関係において、遊離縁９２の遠位にシール表面７２上に位置付けられる。図９は、別の構成を示し、一対の隣接する突起７４は、シール表面７２上に位置付けられ、一方の突起は、遊離縁９２に近接し、他方は、その遠位にある。これらの実施例では、突起７４は、リング６６のまわりである角度を有するように相互に対して離間関係において位置付けられる。
【００３５】
例示的シール実施形態６４では、突起７４は、凸状湾曲形状を有する。図７−９に示されるように、形状は、半球９６の形態をとる。楕円形、卵形、および同等物等の他の凸形状もまた、実行可能である。円錐、立方体、平行六面体、および角錐等の非凸形状もまた、突起７４として効果的であることが予期される。
【００３６】
図７に示されるように、第１および第２のリング６６ならびに７８は、相互に対してある角度を有するように配向される。すなわち、リング６６を含有する平面６６ａは、リング７８を含有する平面７８ａに対してある角度を有するように配向される。示される例示的実施形態では、配向角度９８は、９０°エルボ継手と整合する９０°であるが、他の配向角度も、当然ながら、実行可能である。
【００３７】
図７および９に示される例示的シール実施形態６４は、図１０−１３に示される継手１００と併用される。継手１００は、相互に取り付けられ、それによって、第１および第２のレセプタクル１０６および１０８と、その間に延在する流体路１１０とを画定する、第１および第２の筐体部分１０２ならびに１０４を備える（図１１）。レセプタクル１０６および１０８は、パイプ要素１１２および１１４を受容する。図１０および１１に示されるように、シール６４は、第１および第２の筐体部分１０２と１０４との間に位置付けられる。シール６４のリング６６は、レセプタクル１０６内に受容され、シール６４のリング７８は、レセプタクル１０８内に受容される。管８６が、筐体部分１０２および１０４によって画定された流体路１１０に沿って延在する。
【００３８】
図１０に示されるように、接続部材１１６が、筐体部分１０２および１０４上に位置付けられる。接続部材１１６は、筐体部分１０２および１０４を相互に向かって牽引するために調節可能に緊締可能である。本実施例では、接続部材１１６は、筐体部分１０２および１０４から外向きに突出する、つまみ１１８を備える。つまみ１１８は、緊締に応じて筐体部分を相互に向かって牽引するための機械的調節を提供する、締結具１２０を受容する。
【００３９】
図１０−１３に示される特定の例示的実施形態に関して、シール６４のリング６６および７８は、パイプ要素が図１０に示されるように継手の中に挿入されることを可能にするために十分な事前に組み立てられた状態で、筐体部分１０２および１０４を離間関係において支持するように定寸される。事前に組み立てられた状態では、筐体部分１０２および１０４は、離間関係において支持され、締結具１２０によってリング６６および７８に対して保持される。
【００４０】
図１０−１３は、本発明による例示的シール６４を使用してパイプ継合部を形成する方法を図示する。図１０に示されるように、パイプ要素１１２および１１４は、その事前に組み立てられた状態にある間、継手１００の筐体部分１０２および１０４によって画定されたレセプタクル１０６ならびに１０８の中に挿入される。図１１に示されるように、挿入に応じて、パイプ要素１１２および１１４は、シール１００のシール表面７２および８４に係合し、それを偏向させる。シール表面７２または８４のうちの少なくとも１つ上の１つもしくはそれを上回る突起７４の不在下では、締結具１２０が、まだ緊締されていない、または適切なシール継合部を形成するために十分に緊締されていないという事実にもかかわらず、低圧シールがシール１００とパイプ要素との間に形成されることが可能性として考えられる。その結果、配管網の低圧試験の間、配管網は、圧力を維持し、液密であると考えられ、それによって、全ての継手が適切に据え付けられているという誤ったインジケーションを与え得る。しかしながら、（はるかに高い）点検圧力が、配管網に印加されると、緊締されていないまたは十分に緊締されていないそれらの継合部は、漏出し得る。
【００４１】
しかしながら、示されるように、１つまたはそれを上回る突起７４が、シール表面７２および８４の一方または両方上に存在する場合、それらは、継手１００が依然として事前に組み立てられた状態にあるとき、漏出経路７６をシール表面７２および８４とパイプ要素１１２ならびに１１４との間に提供することによって、早期シールを防止する。突起７４が、シール表面７２および８４の一方または両方の一部をパイプ要素から離れた離間関係に維持するため、漏出経路が、形成される。突起７４によって提供される漏出経路７６は、低圧試験が全ての継手が適切に据え付けられているかどうかを確実に示すであろうことを確実にする。図１２および１３に示されるように、漏出経路７６は、締結具１２０が、筐体部分１０２および１０４を相互に向かって牽引し、それによって、シール６４を圧縮および変形させ、筐体部分とパイプ要素との間の係合を強制し、液密機械的継合部を形成するように十分に緊締されると、閉鎖し、効果的シールが、形成される。図１１および１３の比較に見られるように、シール６４の挙動は、締結具の緊締に応じて、シール表面７２および８０の外側部分７２ａならびに８４ａが、それぞれ、パイプ要素１１２および１１４に係合し、シールをもたらすように、ローブ７０および８２が変形するという点において、シール１０のものに類似する。緊締の充足は、例えば、図１２に示されるように、筐体部分１０２および１０４上の対向つまみ１１８間の「パッド間」係合によって、または締結具１２０を設計および実験を通して既知の規定されたトルクに緊締し、液密機械的継合部をもたらすことによって、明らかになり得る。継手１００とパイプ要素１１２および１１４との間の係合は、図１３に示されるように、パイプ要素内の円周方向溝１２４に係合する各レセプタクルを囲繞する、内向きに突出するキー１２２によってもたらされてもよい。溝付きパイプ要素が図示されるが、これは、一例であって、本発明によるシールはまた、単純端部パイプ要素ならびに肩端パイプ要素と併用されるときも効果的であることを理解されたい。
【００４２】
本明細書に説明される実施例におけるような漏出経路特徴を有する、カップリングおよび継手のためのシールは、配管網の圧力試験の信頼性を改良し、したがって、機械的継合部の据付の効率を増加させることが予期される。
【図１】
2020169727.tif 000002
【図１Ａ】
2020169727.tif 000003
【図１Ｂ】
2020169727.tif 000004
【図２】
2020169727.tif 000005
【図３】
2020169727.tif 000006
【図４】
2020169727.tif 000007
【図５】
2020169727.tif 000008
【図５Ａ】
2020169727.tif 000009
【図５Ｂ】
2020169727.tif 000010
【図５Ｃ】
2020169727.tif 000011
【図６】
2020169727.tif 000012
【図６Ａ】
2020169727.tif 000013
【図６Ｂ】
2020169727.tif 000014
【図６Ｃ】
2020169727.tif 000015
【図７】
2020169727.tif 000016
【図８】
2020169727.tif 000017
【図９】
2020169727.tif 000018
【図１０】
2020169727.tif 000019
【図１１】
2020169727.tif 000020
【図１２】
2020169727.tif 000021
【図１３】
2020169727.tif 000022
【外国語明細書】
2020169727000001.pdf